(57)【要約】      （修正有）【課題】配信システムのサービス提供者が利用者のサービス利用状況を詳細に把握でき、配信コンテンツの品質を高め、高いセキュリティの確保が可能なコンテンツ配信システムを提供する。【解決手段】コンテンツ配信側ユーザー端末１０は、コンテンツ保持装置３０の映像音声等の再生コンテンツをＱｏＳによる帯域予約により配信するＳＩＰ呼制御機能を備える。コンテンツ被配信側ユーザー端末２０又は６０は、ＳＩＰ呼制御機能を備え、ネットワーク１００で配信された映像音声等のコンテンツを動画再現装置４０又は表示部に出力する。ＱｏＳの帯域予約によりコンテンツの品質を高めることができ、また、ユーザー認証にコンテンツ配信側ユーザー端末１０の所有者の所有に係る携帯端末を使用してユーザー認証を行うことで、高いセキュリティの確保が可能である。【選択図】図１
2008153896.tif 000002
【特許請求の範囲】
【請求項１】
ＳＩＰサーバーを備えるネットワークと、前記ネットワーク及びコンテンツ保持装置と接続され、前記コンテンツ保持装置の再生コンテンツをＱｏＳによる帯域予約により配信するＳＩＰ呼制御機能を備えるコンテンツ配信側ユーザー端末と、前記ネットワークと接続され、前記ネットワークで配信されたコンテンツを出力するＳＩＰ呼制御機能を備えるコンテンツ被配信側ユーザー端末と、を備えることを特徴とするコンテンツ配信システム。
【請求項２】
前記コンテンツ被配信側ユーザー端末は、使用者の入力操作に基づく制御信号をコンテンツ配信側ユーザー端末に送信し、前記コンテンツ配信側ユーザー端末は前記制御信号を受信してコンテンツ保持装置を制御し、前記配信コンテンツの再生を制御することを特徴とする請求項１の何れかの請求項記載のコンテンツ配信システム。
【請求項３】
前記コンテンツ被配信側ユーザー端末は、リモコン装置からの赤外線の制御コマンドを受信し、赤外線の制御コマンドに基づく前記制御信号を前記コンテンツ配信側ユーザー端末に送信し、前記コンテンツ配信側ユーザー端末は、前記制御信号を受信して赤外線の制御コマンドを出力し、前記コンテンツ保持装置を制御することを特徴とする請求項２記載のコンテンツ配信システム。
【請求項４】
前記コンテンツ配信側ユーザー端末は、前記配信コンテンツを圧縮・符号化し、パケット化して前記コンテンツ被配信側ユーザー端末に送信し、前記コンテンツ被配信側ユーザー端末は、受信したパケットから圧縮・符号化した配信コンテンツを出力し、圧縮・符号化した配信コンテンツを伸張・復号化することを特徴とする請求項１ないし３の何れかの請求項記載のコンテンツ配信システム。
【請求項５】
前記コンテンツ被配信側ユーザー端末は、端末認証情報をコンテンツ配信側ユーザー端末に送信し、前記コンテンツ配信側ユーザー端末は、事前登録した端末認証情報と前記コンテンツ被配信側ユーザー端末から受信した端末認証情報により端末認証を行い、前記端末認証の成立後に前記コンテンツ配信側ユーザー端末と前記コンテンツ被配信側ユーザー端末間でセッションを確立し前記コンテンツを配信することを特徴とする請求項１ないし４の何れかの請求項記載のコンテンツ配信システム。
【請求項６】
前記コンテンツ被配信側ユーザー端末は、端末認証情報及び携帯端末により入力されユーザー認証情報をコンテンツ配信側ユーザー端末に送信し、前記コンテンツ配信側ユーザー端末は、前記コンテンツ被配信側ユーザー端末から受信した端末認証情報及びユーザー認証情報と、事前登録した前記端末認証情報及び前記携帯端末により事前登録したユーザー認証情報とによるそれぞれ端末認証及びユーザー認証の成立後に前記コンテンツ配信側ユーザー端末と前記コンテンツ被配信側ユーザー端末間でセッションを確立し前記コンテンツを配信することを特徴とする請求項１ないし４の何れかの請求項記載のコンテンツ配信システム。
【請求項７】
端末認証情報はユーザーＩＤ及びパスワードであり、ユーザー認証情報は前記携帯端末の端末ＩＤであることを特徴とする請求項６記載のコンテンツ配信システム。
【請求項８】
前記コンテンツ配信側ユーザー端末は、前記端末認証及び前記認証部のユーザー認証の成立時に、前記コンテンツ被配信側ユーザー端末から鍵送付を受け、当該鍵により前記配信コンテンツを暗号化し、前記コンテンツ被配信側ユーザー端末は、前記送付した鍵により暗号化した配信コンテンツを復号化することを特徴とする請求項６又は７記載のコンテンツ配信システム。
【請求項９】
前記コンテンツ被配信側ユーザー端末は、配信コンテンツを表示する動画再現装置と接続され、受信した配信コンテンツを前記動画再現装置に出力する情報処理端末であることを特徴とする請求項１ないし８の何れかの請求項記載のコンテンツ配信システム。
【請求項１０】
前記コンテンツ被配信側ユーザー端末は、受信した配信コンテンツを表示する表示部を備える携帯情報端末であることを特徴とする請求項１ないし８の何れかの請求項記載のコンテンツ配信システム。
【請求項１１】
ＳＩＰ呼制御機能によりＳＩＰサーバーを備えるネットワーク上のコンテンツ被配信側ユーザー端末とのセッションの確立を制御するＳＩＰ呼制御部と、確立したセッション上でＱｏＳによる帯域予約により配信コンテンツを送信する通信制御部と、を備えることを特徴とするコンテンツ配信側ユーザー端末。
【請求項１２】
配信コンテンツを記録・再生するコンテンツ保持装置を備え、前記ＳＩＰ呼制御部は、前記コンテンツ被配信側ユーザー端末からのＳＩＰ呼制御機能により送信された制御信号により前記コンテンツ保持装置を制御し、前記配信コンテンツを再生することを特徴とする請求項１１記載のコンテンツ配信側ユーザー端末。
【請求項１３】
前記ＳＩＰ呼制御部の制御信号により赤外線の制御コマンドを出力する赤外線制御部を備え、前記コンテンツ保持装置は前記制御コマンドにより制御されることを特徴とする請求項１２記載のコンテンツ配信側ユーザー端末。
【請求項１４】
配信コンテンツを圧縮・符号化するエンコーダ部と、前記圧縮・符号化した配信コンテンツをパケット化し、前記通信制御部に出力するコーデック制御部と、を備えることを特徴とする請求項１１ないし１３の何れかの請求項記載のコンテンツ配信側ユーザー端末。
【請求項１５】
前記ＳＩＰ呼制御部は、事前登録した端末認証情報とコンテンツ被配信側ユーザー端末から受信した端末認証情報により端末認証を行い、前記端末認証の成立後に前記コンテンツ被配信側ユーザー端末とのセッションを確立することを特徴とする請求項１１ないし１４の何れかの請求項記載のコンテンツ配信側ユーザー端末。
【請求項１６】
携帯端末により事前登録したユーザー認証情報と前記コンテンツ被配信側ユーザー端末から受信したユーザー認証情報によりユーザー認証を行う認証部を備え、前記ＳＩＰ呼制御部は、事前登録した端末認証情報と前記コンテンツ被配信側ユーザー端末から受信した端末認証情報により端末認証を行い、前記認証部のユーザー認証及び前記端末認証の成立後に前記セッションを確立することを特徴とする請求項１１ないし１４の何れかの請求項記載のコンテンツ配信側ユーザー端末。
【請求項１７】
端末認証情報はユーザーＩＤ及びパスワードであり、ユーザー認証情報は前記携帯端末の端末ＩＤであることを特徴とする請求項１６記載のコンテンツ配信側ユーザー端末。
【請求項１８】
前記認証部は、前記端末認証及び前記ユーザー認証の成立時に、前記コンテンツ被配信側ユーザー端末から鍵送付を受け、当該鍵により配信コンテンツの暗号化を行うことを特徴とする請求項１６又は１７記載のコンテンツ配信側ユーザー端末。
【請求項１９】
ＳＩＰ呼制御機能によりＳＩＰサーバーを備えるネットワーク上のコンテンツ配信側ユーザー端末とのセッションの確立を制御するＳＩＰ呼制御部と、確立したセッション上でＱｏＳによる帯域予約による配信コンテンツを受信する通信制御部と、を備えることを特徴とするコンテンツ被配信側ユーザー端末。
【請求項２０】
前記ＳＩＰ呼制御部は使用者の入力操作に基づく制御信号を入力し、ＳＩＰ呼制御によりコンテンツ配信側ユーザー端末に送信し、前記コンテンツ配信側ユーザー端末に接続された配信コンテンツを記録・再生するコンテンツ保持装置を制御し、前記配信コンテンツを再生することを特徴とする請求項１９記載のコンテンツ被配信側ユーザー端末。
【請求項２１】
リモコン装置からの赤外線の制御コマンドを受信し、前記制御信号を前記ＳＩＰ呼制御部に出力する赤外線制御部を備えることを特徴とする請求項２０記載のコンテンツ被配信側ユーザー端末。
【請求項２２】
前記通信制御部で受信したパケットから圧縮・符号化した配信コンテンツを出力するコーデック制御部と、圧縮・符号化した配信コンテンツを伸張・復号化するデコード部と、を備えることを特徴とする請求項１９ないし２１の何れかの請求項記載のコンテンツ被配信側ユーザー端末。
【請求項２３】
前記ＳＩＰ呼制御部は、端末認証情報を前記コンテンツ配信側ユーザー端末に送信し、前記コンテンツ配信側ユーザー端末での端末認証の成立後に前記セッションを確立することを特徴とする請求項１９ないし２２の何れかの請求項記載のコンテンツ被配信側ユーザー端末。
【請求項２４】
前記ＳＩＰ呼制御部は、端末認証情報及び携帯端末により入力されたユーザー認証情報を前記コンテンツ配信側ユーザー端末に送信し、前記コンテンツ配信側ユーザー端末での前記端末認証及びユーザー認証の成立後に前記セッションを確立することを特徴とする請求項１９ないし２２の何れかの請求項記載のコンテンツ被配信側ユーザー端末。
【請求項２５】
端末認証情報はユーザーＩＤ及びパスワードであり、ユーザー認証情報は前記携帯端末の端末ＩＤであることを特徴とする請求項２４記載のコンテンツ被配信側ユーザー端末。
【請求項２６】
前記コンテンツ配信側ユーザー端末での前記端末認証及びユーザー認証の成立時に、配信コンテンツの暗号化の鍵を送付するとともに、前記デコード部は当該鍵により暗号化した配信コンテンツを復号化することを特徴とする請求項２４又は２５記載のコンテンツ被配信側ユーザー端末。
【請求項２７】
配信コンテンツを表示する動画再現装置と接続され、復号化した配信コンテンツを前記動画再現装置に出力する情報処理端末であることを特徴とする請求項１９ないし２６の何れかの請求項記載のコンテンツ被配信側ユーザー端末。
【請求項２８】
復号化した配信コンテンツを表示する表示部を備える携帯情報端末であることを特徴とする請求項１９ないし２６の何れかの請求項記載のコンテンツ被配信側ユーザー端末。
【請求項２９】
ＳＩＰサーバーを備えるネットワークと、前記ネットワーク及びコンテンツ保持装置と接続され、前記コンテンツ保持装置から再生した配信コンテンツをＱｏＳによる帯域予約により配信するＳＩＰ呼制御機能を備えるコンテンツ配信側ユーザー端末と、前記ネットワークと接続され、前記ネットワークの配信コンテンツを受信するＳＩＰ呼制御機能を備えるコンテンツ被配信側ユーザー端末と、を備えるコンテンツ配信システムにおける認証方法であって、
携帯端末の端末ＩＤをユーザー認証情報として前記コンテンツ配信側ユーザー端末に事前登録するステップと、前記携帯端末により前記コンテンツ被配信側ユーザー端末に前記端末ＩＤを入力し、コンテンツ配信側ユーザー端末にアクセスしている人物がコンテンツ配信側ユーザー端末の所有者であることのユーザー認証を要求するステップと、を含むことを特徴とするコンテンツ配信システムの認証方法。
【請求項３０】
前記コンテンツ配信側ユーザー端末での認証が成立した場合に、前記コンテンツ被配信側ユーザー端末から前記コンテンツ配信側ユーザー端末に暗号化の鍵送付を行うステップと、を含むことを特徴とする請求項２９記載のコンテンツ配信システムの認証方法。
【請求項３１】
前記鍵送付を行うステップは、携帯端末から前記コンテンツ被配信側ユーザー端末へ鍵交換して鍵送付を行うステップと、前記コンテンツ配信側ユーザー端末から前記コンテンツ被配信側ユーザー端末へ鍵交換して鍵送付を行うステップと、前記コンテンツ配信側ユーザー端末と前記コンテンツ被配信側ユーザー端末とで暗号化鍵を共有するステップと、を含むことを特徴とする請求項３０記載のコンテンツ配信システムの認証方法。
【請求項３２】
前記携帯端末から前記コンテンツ配信側ユーザー端末への端末ＩＤを事前登録するステップは、携帯端末と前記コンテンツ配信側ユーザー端末との間の赤外線通信により行うステップであることを特徴とする請求項３０又は３１記載のコンテンツ配信システムの認証方法。
【請求項３３】
前記携帯端末から前記コンテンツ被配信側ユーザー端末への暗号化の鍵送付を行うステップは、携帯端末と前記コンテンツ被配信側ユーザー端末との間の赤外線通信により行うステップであることを特徴とする請求項３１又は３２記載のコンテンツ配信システムの認証方法。
【請求項３４】
前記コンテンツ配信側ユーザー端末にユーザーＩＤ及びパスワードを事前登録するステップと、前記コンテンツ被配信側ユーザー端末にユーザーＩＤ及びパスワードを入力し、認証を要求するステップと、を含むことを特徴とする請求項２９ないし３３の何れかの請求項記載のコンテンツ配信システムの認証方法。
【発明の詳細な説明】
【技術分野】
【０００１】
本発明は、ＳＩＰ（Ｓｅｓｓｉｏｎ  Ｉｎｉｔｉａｔｉｏｎ  Ｐｒｏｔｏｃｏｌ）によるコンテンツ配信システムに関し、特に、使用者が自宅のコンテンツ保持装置で録画したコンテンツ等を、自宅以外の場所でも自宅と同様に閲覧することを可能とするコンテンツ配信システム、コンテンツ配信側ユーザー端末、コンテンツ被配信側ユーザー端末、コンテンツ配信システムの認証方法に関する。
【背景技術】
【０００２】
従来、ネットワークを介して映像等のコンテンツを送受するシステムにおいては、端末間の接続制御を端末同士でのみ行っており、コンテンツの選択等の遠隔端末からの操作制御も端末間でのみ直接行うように構成されている。また、コンテンツの送信もネットワークの伝送帯域の状況にかかわらず行うように構成されている。
【発明の開示】
【発明が解決しようとする課題】
【０００３】
従来のシステムでは、端末間の接続制御を端末同士でのみ行うとともに、遠隔端末からの操作制御も端末間でのみ行うように構成されているため、サービス提供者が使用者のサービス利用頻度等のサービス利用状況を把握しきれないという問題があった。
【０００４】
また、コンテンツの送信もネットワークの伝送帯域の状況にかかわらず行うように構成されているため、映像コンテンツ等のサイズの大きなストリームの送受信を行うことにより、ネットワークを含めた端末間での遅延、パケットロスが発生し、かかるコンテンツを綺麗に見ることができない場合があるという問題があった。
【０００５】
更に、かかるシステムにおける簡便で且つ確実な端末間の認証方法がなく、高いセキュリティを確保することができなかったという問題がある。
【０００６】
（目的）
本発明の目的は、配信システムのサービス提供者が利用者のサービス利用状況を詳細に把握可能なコンテンツ配信システム、コンテンツ配信側ユーザー端末、コンテンツ被配信側ユーザー端末、コンテンツ配信システムの認証方法を提供することにある。
【０００７】
本発明の他の目的は、コンテンツを高い品質で配信することが可能なコンテンツ配信システム、コンテンツ配信側ユーザー端末、コンテンツ被配信側ユーザー端末、コンテンツ配信システムの認証方法を提供することにある。
【０００８】
本発明の他の目的は、端末間の制御及びコンテンツの配信における高いセキュリティを実現可能なコンテンツ配信システム、コンテンツ配信側ユーザー端末、コンテンツ被配信側ユーザー端末、コンテンツ配信システムの認証方法を提供することにある。
【課題を解決するための手段】
【０００９】
本発明は、ユーザー端末及びネットワークにＱｏＳ（Ｑｕａｌｉｔｙ  ｏｆ  Ｓｅｒｖｉｃｅ）を実装することにより映像コンテンツを伝達する帯域を予約し、一定通信速度を保証するとともに、サービス提供者がユーザーの操作制御状況を把握するためにＳＩＰ呼制御によるユーザー操作制御を行うことを特徴とする。つまり、
【００１０】
本発明は、ＳＩＰサーバーを備えるネットワークと、前記ネットワーク及びコンテンツ保持装置と接続され、前記コンテンツ保持装置の再生コンテンツをＱｏＳによる帯域予約により配信するＳＩＰ呼制御機能を備えるコンテンツ配信側ユーザー端末と、前記ネットワークと接続され、前記ネットワークで配信されたコンテンツを出力するＳＩＰ呼制御機能を備えるコンテンツ被配信側ユーザー端末と、を備え、前記コンテンツ被配信側ユーザー端末は、使用者の入力操作に基づく制御信号をコンテンツ配信側ユーザー端末に送信し、前記コンテンツ配信側ユーザー端末は前記制御信号を受信してコンテンツ保持装置を制御し、前記配信コンテンツを再生する。また、前記コンテンツ配信側ユーザー端末は、前記配信コンテンツを圧縮・符号化し、パケット化して前記コンテンツ被配信側ユーザー端末に送信し、前記コンテンツ被配信側ユーザー端末は、受信したパケットから圧縮・符号化した配信コンテンツを出力し、圧縮・符号化した配信コンテンツを伸張・復号化する。
【００１１】
また、前記コンテンツ被配信側ユーザー端末は、端末認証情報及び携帯端末により入力したユーザー認証情報を前記コンテンツ配信側ユーザー端末に送信し、前記コンテンツ配信側ユーザー端末は、前記コンテンツ被配信側ユーザー端末から受信した端末認証情報及びユーザー認証情報と、事前登録した前記端末認証情報及び前記携帯端末により事前登録したユーザー認証情報とによるそれぞれ端末認証及びユーザー認証の成立（認証ＯＫ）後に前記コンテンツ配信側ユーザー端末と前記コンテンツ被配信側ユーザー端末間でセッションを確立し前記コンテンツを配信することを特徴とし、前記端末認証情報はユーザーＩＤ（Ｉｄｅｎｔｉｆｉｃａｔｉｏｎ；アイデンティフィケーション）及びパスワードであり、前記ユーザー認証情報は前記携帯端末の端末ＩＤであることを特徴とする。
【００１２】
また、前記コンテンツ配信側ユーザー端末は、前記端末認証及び前記認証部のユーザー認証の成立時に、コンテンツ被配信側ユーザー端末から鍵送付を受け、当該鍵により前記配信コンテンツを暗号化し、前記コンテンツ被配信側ユーザー端末は、前記送付した鍵により暗号化した配信コンテンツを復号化することを特徴とする。
【００１３】
更に、前記コンテンツ被配信側ユーザー端末は、配信コンテンツを表示する動画再現装置と接続され、受信した配信コンテンツを前記動画再現装置に出力する情報処理端末であること、又は、前記コンテンツ被配信側ユーザー端末は、受信した配信コンテンツを表示する表示部を備える携帯情報端末であることを特徴とする。
【発明の効果】
【００１４】
本発明によれば、コンテンツ被配信側ユーザー端末によるコンテンツ配信側ユーザー端末への呼制御にＳＩＰ呼制御を使用しているため、サービス提供者が映像等の受信頻度等、使用者の使用状況を詳細に確認することが可能である。
【００１５】
また、コンテンツ被配信側ユーザー端末、コンテンツ配信側ユーザー端末及びネットワークにおけるＱｏＳにより一定の通信速度が保証される帯域制御を利用しているため、映像等の配信コンテンツに適切な通信速度を確保でき使用者は配信コンテンツを綺麗に閲覧することが可能である。
【００１６】
更に、コンテンツ被配信側ユーザー端末とコンテンツ配信側ユーザー端末において、コンテンツの圧縮・解凍機能を備えることにより、コンテンツを効率的にネットワークで伝送することができ、コンテンツの品質を一層高めることが可能である。
【００１７】
また、コンテンツ配信側ユーザー端末の所有者としての認証情報に、前記所有者が所有する携帯端末の端末ＩＤを使用したユーザー認証を使用することにより、コンテンツ配信側ユーザー端末とコンテンツ保持装置の利用等に関する高いセキュリティを実現することが可能である。
【００１８】
以上のように本発明のユーザ端末の使用により、自宅等のコンテンツ保持装置を自宅外で、いつでもどこのからでも遠隔制御が可能であり、且つ、該コンテンツ保持装置の映像コンテンツ等を高品質、高セキュリティにより選択的に受信し視聴することか可能である。
【発明を実施するための最良の形態】
【００１９】
（構成の説明）
本発明のコンテンツ配信システム、コンテンツ配信側ユーザー端末、コンテンツ被配信側ユーザー端末、コンテンツ配信システムの認証方法の一実施の形態を詳細に説明する。
【００２０】
図１は本実施の形態のシステム構成を示す図である。
【００２１】
本発明のシステム構成は、ユーザー端末１０と、ユーザー端末２０と、コンテンツ保持装置３０と、動画再現装置４０と、携帯情報端末６０と、から構成されている。これらのユーザー端末１０、ユーザー端末２０、携帯情報端末６０は、プログラム制御により動作し、特定の通信のための帯域を予約でき、一定通信速度が保証されるＱｏＳ（Ｑｕａｌｉｔｙ  ｏｆ  Ｓｅｒｖｉｃｅ）により制御され、ＳＩＰによる呼制御（ＳＩＰ呼制御ともいう）のためのＳＩＰサーバー５０を備えるインターネット等のネットワーク１００を介して相互に接続されている。ユーザー端末２０と動画再現装置４０はプログラム制御により動作し、映像・音声信号の送受信を行うために接続されている。ユーザー端末１０とコンテンツ保持装置３０はプログラム制御により動作するように接続されている。
【００２２】
特に、ユーザー端末１０はセットトップボックス等の情報処理端末であり、ユーザー端末２０からのＳＩＰによる呼制御によりネットワーク１００を介して制御され、コンテンツ保持装置３０を制御し、ユーザー端末２０へコンテンツを送信する機能を備えている。また、ユーザー端末２０はセットトップボックス等の情報処理端末であり、ユーザー端末１０をＳＩＰによる呼制御によりネットワーク１００を介して制御し、ユーザー端末１０からのコンテンツを受信し、動画再現装置４０へ送信する機能を備えている。
【００２３】
動画再現装置４０はユーザー端末２０からの映像および音声の出力機能を備え、コンテンツ保持装置３０はユーザー端末１０からのプログラム制御により制御され、コンテンツをユーザー端末１０へ送信する機能を備えている。
【００２４】
更に、ユーザー端末６０は携帯情報端末（携帯型の情報処理端末）であり、ユーザー端末１０をＳＩＰによる呼制御によりネットワーク１００を介して制御し、ユーザー端末１０からのコンテンツを受信し、表示部に表示する機能を備えている。
【００２５】
以上のシステム構成において、ＳＩＰサーバー５０の運用・管理によりユーザー端末１０とユーザー端末２０との間の接続等のサービスを提供するサービス提供者は、両端末間のＳＩＰ呼制御によって、使用者の映像配信等の詳細な使用状況が把握可能である。
【００２６】
（動作の説明）
次に、本発明の実施の形態の動作について詳細に説明する。
【００２７】
図２は本実施の形態のコンテンツ配信システムの動作を示す図である。コンテンツの被配信側のユーザー端末２０をセットトップボックス等の情報処理端末として構成したコンテンツ配信システムの処理フローチャートである。
【００２８】
まず、使用者（ユーザー端末１０の所有者）はユーザー端末２０（以下、情報処理端末２０）よりユーザー端末１０へＳＩＰ呼制御を用いてアクセスする（ステップＡ１）。
【００２９】
ユーザー端末１０においてはＳＩＰ呼制御によってアクセスがあったと判断するとまずセキュリティ確保のため、接続許可端末であるかどうかのチェックを行い（ステップＡ２）、情報処理端末２０がユーザー端末１０における接続許可端末であった場合、情報処理端末２０へＳＩＰ呼制御を用いて呼接続を行い（ステップＡ３）、ユーザー端末１０と情報処理端末２０の呼接続が確立する（ステップＡ４）。
【００３０】
次に、使用者は閲覧したいコンテンツを選択するため、情報処理端末２０よりユーザー端末１０にコンテンツリストの取得要求を送信する（ステップＡ５）。コンテンツリストの取得要求を受信したユーザー端末１０はコンテンツ保持装置３０を制御して、コンテンツ保持装置３０内に記憶されているコンテンツリストを取得し（ステップＡ６）、情報処理端末２０へ送信する（ステップＡ７）。コンテンツリストを受信した情報処理端末２０はコンテンツリストを動画再現装置４０に表示する（ステップＡ８）。
【００３１】
次に、使用者は動画再現装置４０に表示されているコンテンツリストを閲覧し、視聴したいコンテンツを選択する。情報処理端末２０は選択されたコンテンツの閲覧要求をユーザー端末１０へ送信する（ステップＡ９）。
【００３２】
閲覧要求を受けたユーザー端末１０はコンテンツ保持装置３０を制御して、コンテンツをストリーミングで取得する（ステップＡ１０）。ユーザー端末１０は取得しているコンテンツをネットワーク１００を介して効率よく伝送させるため、圧縮処理を行う（ステップＡ１１）。更にユーザー端末１０は圧縮処理を行ったコンテンツに対し、ＱｏＳ処理を行い（ステップＡ１２）、情報処理端末２０へ送信する（ステップＡ１３）。
【００３３】
情報処理端末２０はＱｏＳによって帯域制御され、遅延、パケットロスのないコンテンツを受信する（ステップＡ１４）。情報処理端末２０は受信したコンテンツの解凍処理を行い（ステップＡ１５）、解凍したコンテンツを動画再現装置４０へ出力して表示する（ステップＡ１６）。
【００３４】
図３は本実施の形態のコンテンツ配信システムの他の動作を示す図である。コンテンツの被配信側のユーザー端末６０を携帯情報端末として構成したコンテンツ配信システムの処理フローチャートである。
【００３５】
まず、使用者はユーザー端末６０（以下、携帯情報端末６０）よりユーザー端末１０へＳＩＰ呼制御を用いてアクセスする（ステップＢ１）。
【００３６】
ユーザー端末１０においてはＳＩＰ呼制御によってアクセスがあったと判断すると、まずセキュリティ確保のため、接続許可端末であるかどうかのチェックを行い（ステップＢ２）、携帯情報端末６０がユーザー端末１０における接続許可端末であった場合、携帯情報端末６０へＳＩＰ呼制御を用いて呼接続を行い（ステップＢ３）、ユーザー端末１０と携帯情報端末６０の呼接続が確立する（ステップＢ４）。
【００３７】
次に、使用者は閲覧したいコンテンツを選択するため、携帯情報端末６０よりユーザー端末１０にコンテンツリストの取得要求を送信する（ステップＢ５）。コンテンツリストの取得要求を受信したユーザー端末１０はコンテンツ保持装置３０を制御して、コンテンツ保持装置３０内に記憶されているコンテンツリストを取得し（ステップＢ６）、携帯情報端末６０へ送信する（ステップＡ７）。コンテンツリストを受信した携帯情報端末６０はコンテンツリストを表示する（ステップＢ８）。
【００３８】
次に、使用者は表示されているコンテンツリストを閲覧し、閲覧したいコンテンツを選択する。携帯情報端末６０は選択されたコンテンツの閲覧要求をユーザー端末１０へ送信する（ステップＢ９）。閲覧要求を受けたユーザー端末１０はコンテンツ保持装置３０を制御して、コンテンツをストリーミングで取得する（ステップＢ１０）。ユーザー端末１０は取得しているコンテンツをネットワーク１００を介して効率よく伝送させるため、圧縮処理を行う（ステップＢ１１）。更にユーザー端末１０は圧縮処理を行ったコンテンツに対し、ＱｏＳ処理を行い（ステップＢ１２）、携帯情報端末６０へ送信する（ステップＢ１３）。
【００３９】
携帯情報端末６０はＱｏＳによって帯域制御され、遅延、パケットロスのないコンテンツを受信する（ステップＢ１４）。携帯情報端末６０は受信したコンテンツの解凍処理を行い（ステップＢ１５）、解凍したコンテンツを表示部に表示する（ステップＢ１６）
【００４０】
次に、本発明の実施例として、コンテンツ配信システムを構成するユーザー端末（情報処理端末又は携帯情報端末）のより具体的な構成及び動作について説明する。なお、ユーザー端末２０として表示部を有する携帯情報端末を用いる場合には、動画再現装置４０に代えて前記表示部を使用するように構成すればよく、その他の各部の構成はユーザー端末（情報処理端末）と同様であるから、以下の実施例では動画再現装置４０を備えるユーザー端末（情報処理端末）の使用例で説明する。
【実施例１】
【００４１】
図４は、本発明の第１の実施例を示す図である。同図では、ユーザー端末１０及び２０の装置構成を示すとともに、該ユーザー端末２０側からユーザー端末１０側のコンテンツ保持装置３０を利用するための利用者のユーザーＩＤ（Ｉｄｅｎｔｉｆｉｃａｔｉｏｎ）及びパスワードによる認証（端末認証）と、リモコン装置７０によるユーザー端末２０からのコンテンツ保持装置３０の操作時と、映像等の配信コンテンツの送受信等の制御及び信号方向を示している。
【００４２】
まず、映像等のコンテンツの配信側のユーザー端末１０は、通信制御部１１、認証情報記憶部１２、認証部１３、ＳＩＰ呼制御部１４、コーデック制御部１５、デコード部１６、エンコード部１７及び赤外線制御部１８を備える。ユーザー端末１０の配信側としてのこれらの各部の構成及び機能は以下のとおりである。
【００４３】
通信制御部１１はＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）、ＵＤＰ（Ｕｓｅｒ  Ｄａｔａｇｒａｍ  Ｐｒｏｔｏｃｏｌ）等のＩＰレベルの通信制御を行い、配信コンテンツを送信するパケットのヘッダに通信帯域を確保するためのＱｏＳ情報の付与を行う等、ＱｏＳ処理機能を有する。認証情報記憶部１２はユーザー端末のユーザーＩＤ及びパスワード等、端末の認証を行う認証情報（端末認証情報という）が記憶される。
【００４４】
認証部１３は、イ．ユーザーＩＤ及びパスワードを端末認証情報として認証情報記憶部１２に記憶して登録する機能、ロ．ユーザー端末２０側からのユーザーＩＤ及びパスワードによる認証要求時に、ＳＩＰ呼制御部１４での認証（端末認証）に必要な端末認証情報（ユーザーＩＤ及びパスワード）を認証情報記憶部１２から読み出しＳＩＰ呼制御部１４に出力する機能等を有する。
【００４５】
ＳＩＰ呼制御部１４は、ａ．ユーザー端末２０側からのユーザーＩＤ及びパスワードによる認証要求時に、認証部１３から出力された端末認証情報と照合する等により端末認証を行う機能、ｂ．認証ＯＫのユーザー端末との間の通信確立を行う機能、ｃ．リモコン装置７０の赤外線の制御コマンド等に基づく制御信号によりリモコン制御を行う機能を有する。
【００４６】
コーデック制御部１５は配信コンテンツ等のパケット化、パケット分割、表示順、送信速度等を指定するヘッダ処理等を行う機能を有する。エンコード部１７はコンテンツ保持装置３０から再生された配信コンテンツを圧縮・符合化してコーデック制御部１５に出力する機能を有する。
【００４７】
赤外線制御部１８はユーザー端末１０から受信したリモコン装置７０の赤外線の制御コマンドの制御信号に基づくＳＩＰ呼制御部１４のリモコン制御により、コンテンツ保持装置３０の再生停止、開始、番組選択、早送り等の制御を行う赤外線の制御コマンドを出力する機能を有する。
【００４８】
また、ユーザー端末１０の各部１１〜１８は、被配信側のユーザー端末としての機能を有しており、その機能は後述するユーザー端末２０の各部２１〜２８がそれぞれ有する機能と同様である。
【００４９】
次に、映像等のコンテンツの受信側のユーザー端末２０は、通信制御部２１、認証情報記憶部２２、認証部２３、ＳＩＰ呼制御部２４、コーデック制御部２５、エンコード部２６、デコード部２７及び赤外線制御部２８を備える。各部の構成及び機能は以下のとおりである。
【００５０】
通信制御部２１はＴＣＰ／ＩＰ、ＵＤＰ等のＩＰレベルの通信制御を行う機能を有し、受信したパケットのＱｏＳ情報を処理する機能を有する。ＳＩＰ呼制御部２４は、ｄ．ユーザーが入力したユーザーＩＤ及びパスワード、リモコン装置７０の制御コマンドに基づく制御信号をＳＩＰ呼制御によりユーザー端末１０に送信する機能、ｅ．所定のユーザー端末との通信確立を行う機能、ｆ．リモコン装置７０の赤外線の制御コマンド等に基づく制御信号をユーザー端末１０に送信する機能を有する。
【００５１】
コーデック制御部２５は映像等のコンテンツを含むパケットを受信して、パケット分割、表示順、送信速度等のヘッダ情報により配信コンテンツ等を抽出する等の機能を有する。デコード部２７は配信コンテンツ等を復号化し動画再現装置４０に出力する機能を有する。赤外線制御部２８は、使用者のリモコン操作によるリモコン装置７０からの赤外線の制御コマンドを受信し、ユーザー端末１０側のコンテンツ保持装置３０の再生停止、開始、番組選択、早送り等の制御を行う制御信号をＳＩＰ呼制御部２４に出力する機能を有する。
【００５２】
また、被配信側のユーザー端末２０の各部２１〜２８は、配信側のユーザー端末としての機能を有しており、その機能は、前述した配信側のユーザー端末１０の各部１１〜１８がそれぞれ有する機能と同様である。
【００５３】
（第１の実施例の動作）
図５、６は第１の実施例のＳＩＰ呼制御と映像配信のシーケンスを示す図である。以下、図４、５、６を参照して端末認証、リモコン制御及び配信に関する一連の動作を説明する。
【００５４】
ユーザー端末１０の所有者（利用者）は、事前登録（初期設定）としてユーザー端末１０に対し、キーボード又はリモコン装置等からユーザーＩＤとパスワードを入力して登録する。また、ユーザー端末１０に接続したコンテンツ保持装置３０には、所望の映像コンテンツ等の配信可能な映像データ等が記録されている。
【００５５】
利用者が友人宅等の出先のユーザー端末２０において、図５に示すように、前記ユーザーＩＤとパスワード（ＰＡＳＳＷＤ）及び接続先（ユーザー端末１０）の識別情報等を入力して認証及び接続のリクエストを行う。このリクエストに対しユーザー端末２０のＳＩＰ呼制御部２４はＳＩＰサーバー５０に、前記ユーザーＩＤ及びＰＡＳＳＷＤを認証情報とした認証要求を含むメッセージＭＥＳＳＡＧＥ（ユーザーＩＤ／ＰＡＳＳＷＤ）を送信する。該ＭＥＳＳＡＧＥを受信したＳＩＰサーバー５０はユーザー端末１０に該ＭＥＳＳＡＧＥを送信する。ユーザー端末１０のＳＩＰ呼制御部１４は、受信したＭＥＳＳＡＧＥのユーザーＩＤ及びＰＡＳＳＷＤと、認証部１３で認証情報記憶部１２から読み出した登録済みのユーザーＩＤ及びパスワードとにより認証を行い、認証ＯＫの場合に要求が受け入れられたことを示す２００  ＯＫをＳＩＰサーバー５０を介してユーザー端末２０に送信する。
【００５６】
次に、利用者はリモコン装置７０又はキーボード等からの配信要求（発信）を開始し、ユーザー端末２０のＳＩＰ呼制御部２４はセッションを確立するためのＩＮＶＩＴＥメッセージ（Ｉｎｉｔｉａｌ−ＩＮＶＩＴＥ）をＵＲＩ（Ｕｎｉｆｏｒｍ  Ｒｅｓｏｕｒｃｅ  Ｉｄｅｎｔｉｆｉｅｒ）形式でユーザー端末２０、１０の識別情報と共に送信する。これに対しＳＩＰサーバーは要求処理を開始して、ユーザー端末２０に１００  Ｔｒｙｉｎｇ（要求処理を実施中）を返信し、ユーザー端末１０には前記Ｉｎｉｔｉａｌ−ＩＮＶＩＴＥメッセージを送信する。
【００５７】
ユーザー端末１０はＩｎｉｔｉａｌ−ＩＮＶＩＴＥメッセージを受信すると、ＳＩＰサーバー５０を介してＩＮＶＩＴＥを実行中であることを示す１００  Ｔｒｙｉｎｇを送信するとともに、認証済みのＩＮＶＩＴＥメッセージか否かを確認し、認証済みＩＮＶＩＴＥの場合には、呼び出し中であることを示す１８０  Ｒｉｎｇｉｎｇ（呼び出し処理）をユーザー端末２０に送信し、更に２００  ＯＫを送信してコンテンツ保持装置のＰｏｗｅｒ  ＯＮ（電源投入）の制御を行う。また、認証済みでないＩＮＶＩＴＥに対してはＳＩＰ呼制御の通信を切断する。
【００５８】
次に、認証済みＩＮＶＩＴＥの場合は、ユーザー端末１０からの２００  ＯＫに基づいてユーザー端末２０はセッション確立了解の応答を示すＡＣＫ応答をＳＩＰサーバー５０を介してユーザー端末１０に送信し、これによりセッションが形成される。
【００５９】
図６に示すように、前記ＡＣＫ応答によりユーザー端末１０は赤外線制御部１８を介して、コンテンツ保持装置３０の設定を配信コンテンツのメニューの再生ＭＥＮＵ  Ｐｌａｙに切り換え、以降、コンテンツ保持装置３０の再生データをエンコード部１７で圧縮して符号化し、コーデック制御部１５でパケット化し、通信制御部１１でパケットのヘッダにＱｏＳの制御情報を付与して、ネットワーク１００及びＳＩＰサーバー５０に形成されたセッション上で継続的に配信データ（ＲＴＰ映像＆音声）をユーザー端末２０に配信する通信状態となる。
【００６０】
ユーザー端末２０は、通信制御部２１がネットワークを介してパケットを受信し、コーデック制御部２５でパケットから配信データを抽出し、デコード部２７で配信データを復号化するとともに、圧縮されたデータを伸張し、動画再現装置４０に出力し視聴可能となる。
【００６１】
また、ユーザー端末２０では、利用者が動画再現装置４０に表示された映像のメニュー画面によりリモコン装置７０により所望の映像番組の選択操作が可能である。
【００６２】
利用者がリモコン装置７０を操作して１番の映像再生を指定したとすると、ユーザー端末２０は赤外線制御部２８で制御コマンドを読み取り、当該制御コマンドに基づく制御信号をＳＩＰ呼制御部２４に出力する。ＳＩＰ呼制御部２４は前記制御信号を受信すると、１番の映像再生を要求するメッセージＭＥＳＳＡＧＥ“１”をＳＩＰサーバー５０を介してユーザー端末１０に送信し、ユーザー端末１０のＳＩＰ呼制御部１４は、赤外線制御部１８に該制御信号を出力し、赤外線制御部１８は赤外線の制御コマンドをコンテンツ保持装置３０に出力し、コンテンツ保持装置３０は１番の映像の再生状態に設定を切り換える制御が行われる。このとき、ユーザー端末１０からはＳＩＰサーバー５０を介してユーザー端末２０にＡＣＫ応答が返信される。
【００６３】
更に、利用者がリモコン装置７０を操作して再生中の映像の早送り動作を指定すると、ユーザー端末２０から早送り要求を示すメッセージＭＥＳＳＡＧＥ“６”が前述と同様のＳＩＰ呼制御の手順によりユーザー端末１０に送信され、コンテンツ保持装置３０は早送り動作状態に設定が切り換え制御される。
【００６４】
そして、利用者が動画再現装置４０による再生映像の視聴を終了し、リモコン装置７０から電源ＯＦＦの操作を行うと、セッション切断要求を示すＢＹＥ要求と２００  ＯＫ応答によって、前述と同様のＳＩＰ呼処理制御の手順によりセッション接続が終了する。
【実施例２】
【００６５】
図７は、本発明の第２の実施例を示す図である。同図では、より高いセキュリティの確保が可能なユーザー端末１０及び２０の装置構成を示すとともに、ユーザー端末２０側からユーザー端末１０側のコンテンツ保持装置３０を利用するためのユーザーＩＤ及びパスワード及び携帯電話機等の携帯端末８０からのユーザー認証の認証情報（ユーザー認証情報という）の送信と、コンテンツ保持装置３０の遠隔制御と、暗号化した配信コンテンツの送受信等の制御及び信号方向を示している。
【００６６】
第２の実施例のユーザー端末１０は、通信制御部１１、認証情報記憶部１２、認証部１３、ＳＩＰ呼制御部１４、コーデック制御部１５、デコード部１６、エンコード部１７及び赤外線制御部１８を備え、これらは第１の実施例と同様の機能を有するとともに、特に、認証情報記憶部１２、認証部１３、ＳＩＰ呼制御部１４及びエンコード部１７がユーザー認証に伴う以下の機能が追加される。
【００６７】
つまり、認証情報記憶部１２はユーザーＩＤ／パスワードに加え、ユーザー認証の認証情報（ユーザー認証情報）をも記憶可能であり、認証部１３は、ハ．ユーザー端末１０の所有者の携帯端末８０の端末ＩＤを前記ユーザー認証情報として認証情報記憶部１２に記憶し登録する機能、ニ．ユーザー端末２０からの前記端末ＩＤによる認証要求に対し、認証情報記憶部１２から前記ユーザー認証情報を読み出し、照合等により認証する機能、ホ．前記認証ＫＯ（ＳＩＰ呼制御部１４の認証も認証ＯＫ）の場合にＳＩＰサーバーと鍵交換により暗号化の鍵送付を受ける機能、ヘ．送付された鍵により、エンコード部１７の暗号化の指定を行う機能を有する。また、ＳＩＰ呼制御部１４は、前記端末ＩＤ及び鍵をユーザー端末２０のＳＩＰ呼制御部２４から受信して認証部１３に出力する機能を有し、エンコード部１７は認証部１３からの暗号化の指定により、コンテンツ保持装置３０の再生コンテンツを前記鍵により暗号化する機能を有する。
【００６８】
また、第２の実施例のユーザー端末２０は、通信制御部２１、認証情報記憶部２２、認証部２３、ＳＩＰ呼制御部２４、コーデック制御部２５、エンコード部２６、デコード部２７及び赤外線制御部２８を備え、これらは第１の実施例と同様の機能を有するとともに、第２の実施例では、特に、認証部２３、ＳＩＰ呼制御部２４及びデコード部２７がユーザー認証に伴う以下の機能が追加される。
【００６９】
つまり、認証部２３は携帯端末８０からの端末ＩＤを入力し、ＳＩＰ呼制御部２４に出力する機能、ＳＩＰサーバーと鍵交換してユーザー端末１０の認証部１３に鍵送付する機能、送付した鍵により、デコード部２７における暗号化したコンテンツの復号化の指定を行う機能を有し、ＳＩＰ呼制御部２４は利用者からユーザーＩＤ／パスワード及び前記端末ＩＤを入力し、ユーザー端末１０のＳＩＰ呼制御部１４に送信する機能をも有する。また、デコード部２７は指定された鍵により暗号化したコンテンツの復号化して動画再現装置４０に出力する機能を有する。
【００７０】
（第２の実施例の動作）
図８は第２の実施例の携帯端末による認証及び鍵送付の方法を示す図である。
【００７１】
本実施例の認証及び鍵送付の方法は、ユーザー端末１０の所有者が自己の携帯端末８０を用いて、実装された認証用アプリケーションを起動して行う。認証方法等の手順は次のとおりである。
（１）最初に、利用者はユーザー端末１０の所有者（利用者）の所有に係る携帯端末８０を使用し、その赤外線通信機能等により携帯端末８０の端末ＩＤ（以下、端末ＩＤ）を認証情報としてユーザー端末１０に入力し、認証部１３を介して認証情報記憶部１２に記憶する事前登録を行う。
（２）利用者は携帯端末８０を所持して、ユーザー端末２０が設置されている友人宅等の場所に移動する。
（３）利用者は携帯端末８０の認証用アプリケーションを起動し、赤外線通信機能等によりユーザー端末２０に端末ＩＤを入力し、ユーザー端末２０を介してユーザー端末１０へアクセスしている人物がユーザー端末１０の所有者（利用者）であることのユーザー認証をユーザー端末１０に要求する。
（４）ユーザー端末１０でのユーザー認証が成立した場合に、携帯端末８０からユーザー端末１０に暗号化の鍵送付を行う。この鍵送付は携帯端末８０からユーザー端末２０に鍵交換して鍵送付を行い、更にユーザー端末１０からユーザー端末２０へ鍵交換して鍵送付を行う手順をとる。鍵送付によりユーザー端末１０とユーザー端末２０とで暗号化鍵が共有される。
（５）ユーザー端末１０は受け取った鍵により配信コンテンツの暗号化を行い、ユーザー端２０は受け取った鍵により暗号化した配信コンテンツを復号化する。
【００７２】
図９、１０は第２の実施例のＳＩＰ呼制御と映像配信等のシーケンスを示す図である。以下、図７〜１０を参照して認証、リモコン制御及び配信に関する一連の動作を説明する。
【００７３】
図９に示すように、ユーザー端末１０の所有者（利用者）は、事前登録（初期設定）としてユーザー端末１０に対し、キーボード又はリモコン装置等からユーザーＩＤとパスワードを入力し、認証部１３により認証情報記憶部１２に記録して登録する。次に、ユーザー端末１０に対し、自己の携帯端末８０により端末ＩＤを入力し、認証部１３により認証情報記憶部１２に記録して登録する。
【００７４】
事前登録後、利用者が友人宅等の出先のユーザー端末２０において、ユーザーＩＤとパスワード（ＰＡＳＳＷＤ）、端末ＩＤ及び接続先等を入力して認証のリクエストを行う。このリクエストに対しユーザー端末２０のＳＩＰ呼制御部２４はＳＩＰサーバー５０に、前記ユーザーＩＤ及びＰＡＳＳＷＤに加えて端末ＩＤを認証情報とした認証要求を含むメッセージＭＥＳＳＡＧＥ（ユーザーＩＤ／ＰＡＳＳＷＤ及び端末ＩＤ）を送信する。該ＭＥＳＳＡＧＥを受信したＳＩＰサーバー５０はユーザー端末１０に該ＭＥＳＳＡＧＥを送信する。
【００７５】
ユーザー端末１０のＳＩＰ呼制御部１４は、受信したＭＥＳＳＡＧＥのユーザーＩＤ／ＰＡＳＳＷＤ及び端末ＩＤの内、ユーザーＩＤ／ＰＡＳＳＷＤについて、認証情報記憶部１２に記録された登録済みのユーザーＩＤ／パスワードを認証部１３から受信して端末認証を行い、端末ＩＤは認証部１３に出力し、認証部１３で認証情報記憶部１２に登録済みの端末ＩＤとのユーザー認証を行う。認証部１３及びＳＩＰ呼制御部１４の何れの認証も認証ＯＫの場合に、ＳＩＰ呼制御部１４は２００  ＯＫをＳＩＰサーバー５０を介してユーザー端末２０に送信する。
【００７６】
ユーザー端末２０が２００  ＯＫを受信した後、利用者は携帯端末８０からユーザー端末２０を介してユーザー端末１０に鍵送付を行う。鍵送付は携帯端末８０とユーザー端末２０及びユーザー端末２０とユーザー端末１０との間の鍵交換により行われる。
【００７７】
鍵送付後に、利用者はリモコン装置７０又はキーボード等からの配信要求（発信）を開始し、ユーザー端末２０のＳＩＰ呼制御部２４はセッションの確立のＩＮＶＩＴＥメッセージ（Ｉｎｉｔｉａｌ−ＩＮＶＩＴＥ）をＵＲＩ（Uniform Resource Identifier）形式のユーザー端末２０、１０の識別情報と共に送信し、ＳＩＰサーバー５０はユーザー端末２０に１００  Ｔｒｙｉｎｇ（要求処理を実施中）を返信し、ユーザー端末１０には前記Ｉｎｉｔｉａｌ−ＩＮＶＩＴＥメッセージを送信する。
【００７８】
以降の動作は第１の実施例と同様であり、１００  Ｔｒｙｉｎｇ、１８０  Ｒｉｎｇｉｎｇ、２００  ＯＫ、コンテンツ保持装置３０のＰｏｗｅｒ  ＯＮ（電源投入）、ＡＣＫ応答によるセッション確立のＳＩＰ呼制御が実施される。更に図１０に示すように、コンテンツ保持装置３０の配信コンテンツのメニューの再生ＭＥＮＵ  Ｐｌａｙの動作後は、コンテンツ保持装置３０の再生データをエンコード部１７で圧縮して、送付された暗号化鍵により暗号化し、コーデック制御部１５でパケット化し、通信制御部１１でパケットのヘッダにＱｏＳ情報を付与して、ネットワーク１００及びＳＩＰサーバー５０に形成されたセッション上で継続的に配信データ（ＲＴＰ映像＆音声（暗号化））をユーザー端末２０に配信する。
【００７９】
このときユーザー端末２０は、通信制御部２１がネットワーク１００を介してパケットを受信し、コーデック制御部２５でパケットから配信コンテンツを抽出し、デコード部２７で配信コンテンツを暗号化鍵により復号化するとともに、圧縮されたコンテンツを伸張し、動画再現装置４０に出力して視聴可能とする。
【００８０】
また、ユーザー端末２０では、利用者が動画再現装置４０に表示された映像のメニュー画面によりリモコン装置７０により所望の映像番組等の選択操作が可能であるとともに、リモコン装置７０の操作によりコンテンツ保持装置３０の早送り等の各種の制御が可能である。このためのＭＥＳＳＡＧＥ“１”、ＡＣＫ応答、ＭＥＳＳＡＧＥ“６”、ＡＣＫ応答、更にはセッション切断のＢＹＥ、２００  ＯＫのＳＩＰ呼制御の手順による制御も、第１の実施例の場合と同様に可能である。
【００８１】
（他の実施例）
以上の実施例等においては、コンテンツ保持装置３０をユーザー端末１０から赤外線通信で制御する例で説明したが、ケーブル等の他の有線又は無線の通信手段で行うように構成することが可能である。更に、リモコン装置７０とユーザー端末２０との間及びユーザー端末２０と動画再現装置４０との間の通信も同様に赤外線に加えて他の有線又は無線の通信手段を利用することが可能であり、更に、ユーザー端末２０へのリモコン装置７０からの制御に代えてユーザー端末２０をキーボード等から直接入力するように構成することも可能である。
【００８２】
また、コンテンツ保持装置３０としては、ＨＤＤ（ハードディスクドライブ）装置やＶＴＲ（ビデオテープレコーダー）装置等が使用可能であり、また、動画再現装置４０としてはＴＶ（テレビジョン）装置が使用可能である。
【００８３】
また、第１、２の実施例ではユーザー端末は送信側と配信側の両方の機能を持たせた構成とし、ユーザー端末１０をコンテンツの配信側、ユーザー端末２０を被配信側としての使用例で説明したが、送信側又は配信側の専用機能を有するユーザー端末を構成することが可能であることはいうまでもない。
【００８４】
また、携帯情報端末６０を利用する第２の実施例では、携帯情報端末の可動性により、携帯情報端末６０を前述の認証用の携帯端末として兼用することが可能であり、その端末ＩＤをユーザー認証用に使用することが可能であることは明らかである。
【図面の簡単な説明】
【００８５】
【図１】本実施の形態のシステム構成を示す図である。
【図２】本実施の形態のコンテンツ配信システムの動作を示す図である。
【図３】本実施の形態のコンテンツ配信システムの他の動作を示す図である
【図４】本発明の第１の実施例を示す図である。
【図５】第１の実施例のＳＩＰ呼制御と映像配信のシーケンスを示す図である。
【図６】第１の実施例のＳＩＰ呼制御と映像配信のシーケンスを示す図である。
【図７】本発明の第２の実施例を示す図である。
【図８】第２の実施例の携帯端末による認証及び鍵送付の方法を示す図である。
【図９】第２の実施例のＳＩＰ呼制御と映像配信のシーケンスを示す図である。
【図１０】第２の実施例のＳＩＰ呼制御と映像配信のシーケンスを示す図である。
【符号の説明】
【００８６】
１０、２０、６０  ユーザー端末
１１  通信制御部
１２  認証情報記憶部
１３  認証部
１４  ＳＩＰ呼制御部
１５  コーデック制御部
１６  デコード部
１７  エンコード部
１８  赤外線制御部
２１  通信制御部
２２  認証情報記憶部
２３  認証部
２４  ＳＩＰ呼制御部
２５  コーデック制御部
２６  エンコード部
２７  デコード部
２８  赤外線制御部
３０  コンテンツ保持装置
４０  動画再現装置
５０  ＳＩＰサーバー
７０  リモコン装置
８０  携帯端末
１００  ネットワーク
【図１】
2008153896.tif 000003
【図２】
2008153896.tif 000004
【図３】
2008153896.tif 000005
【図４】
2008153896.tif 000006
【図５】
2008153896.tif 000007
【図６】
2008153896.tif 000008
【図７】
2008153896.tif 000009
【図８】
2008153896.tif 000010
【図９】
2008153896.tif 000011
【図１０】
2008153896.tif 000012